(57)【特許請求の範囲】
【請求項１】
Ｔバーに取付けることができない場合には吊りボルトに装着できるように設けられた第１の取り付け部を有する底部、底部周囲に設けられる側部、Ｔバーの間隔が約２６０ｍｍの場合には前記Ｔバーに装着される取付金具を装着することができる前記第１の取り付け部よりも長手方向の端部側に設けられる第２の取り付け部、Ｔバーの間隔が約６４０ｍｍで統一されたモジュール規格のシステム天井に設置する場合であって配設する部分のＴバーの間隔を１２８０ｍｍとした場合には短い側部方向に前記Ｔバーに装着される取付金具を装着するように設けられた短側部用取りつけ部、および底部に対向した開口部とを有して構成された器具本体と；
外形ほぼ四角形に形成され、少なくとも長手方向の二辺の外形寸法が約１２６０ｍｍないし約１２７０ｍｍとなるように構成されるとともに、器具本体の開口部周囲を覆うように配設された枠体と；
器具本体内に配設された反射板と；
反射板に光学的に対向して配設された光源と；
器具本体内に配設され上記光源を点灯する点灯装置と；
を具備していることを特徴とする照明器具。
【発明の詳細な説明】
【０００１】
【発明の属する技術分野】
本発明は、照明器具およびシステム天井器具に関する。
【０００２】
【従来の技術】
従来、Ｔバーを用いてなるシステム天井器具は、例えば、特開平８−１７２３８号公報等に開示されている。このようなシステム天井器具は、一般の埋込形器具とは異なり、特別な寸法および性能に設計され、その枠体がＴバーに載置されるとともに取り付け金具によって器具本体がＴバーに固定されている。また、Ｔバー間隔等がＴバーの供給メーカーにおいて様々である。
【０００３】
また、一般の埋込形器具の固定は、例えば、天井に固定された吊りボルトを器具本体に形成された固定穴に挿通しナットで締め付けることにより行われる。なお、この種の器具の外形寸法は、照明設計手法、ユーザーまたは製造メーカー等の外的要因で部分最適により設計されているものである。
【０００４】
【発明が解決しようとする課題】
したがって、システム天井器具は、一般の埋込器具としては使用しにくいし、また埋込形器具をシステム天井器具としても使用しにくいものである。このため、それぞれの器具に関する設計および製造コストを容易に低減できにくいという課題を有している。
【０００５】
一方、Ｔバー間隔等がＴバーの供給メーカーにおいて様々である課題があるが、特に欧米諸国にならいＴバー間隔を６４０ｍｍで統一し、モジュールの規格化と施工の省力化を実現したシステム天井を供給しているものもある。
【０００６】
本発明は、埋込形器具およびシステム天井器具に共用できるとともに、システム天井のにおけるＴバー間隔が６４０ｍｍのものに好適な照明器具およびシステム天井器具を提供することを目的とする。
【０００７】
請求項１に記載の発明は、Ｔバーに取付けることができない場合には吊りボルトに装着できるように設けられた第１の取り付け部を有する底部、底部周囲に設けられる側部、Ｔバーの間隔が約２６０ｍｍの場合には前記Ｔバーに装着される取付金具を装着することができる前記第１の取り付け部よりも長手方向の端部側に設けられる第２の取り付け部、Ｔバーの間隔が約６４０ｍｍで統一されたモジュール規格のシステム天井に設置する場合であって配設する部分のＴバーの間隔を１２８０ｍｍとした場合には短い側部方向に前記Ｔバーに装着される取付金具を装着するように設けられた短側部用取りつけ部、および底部に対向した開口部とを有して構成された器具本体と；外形ほぼ四角形に形成され、少なくとも長手方向の二辺の外形寸法が約１２６０ｍｍないし約１２７０ｍｍとなるように構成されるとともに、器具本体の開口部周囲を覆うように配設された枠体と；器具本体内に配設された反射板と；反射板に光学的に対向して配設された光源と；器具本体内に配設され上記光源を点灯する点灯装置と；を具備していることを特徴とする照明器具。
【００１０】
【発明の実施の形態】
以下、本発明の第１の実施の形態を図面を参照して説明する。
【００１１】
図１（ａ）は本発明の第１の実施の形態を示す埋込用の照明器具の背面図、（ｂ）は同じく側面図および（ｃ）は（ｂ）の横断面図である。
【００１２】
図において、照明器具は、器具本体１と、この器具本体１に配設された枠体２、器具本体１内に配設された反射板３と、反射板３に光学的に対向して配設された光源４と、器具本体１内に配設され上記光源４を点灯する点灯装置５とで構成されている。
【００１３】
器具本体１は、吊りボルト等の被取付部に装着できるように設けられた第１の取り付け部１ａを有する底部１ｂ、底部１ｂに周囲に設けられる側部１ｄ、Ｔバー等の被取付部に装着される取付金具を装着する第２の取り付け部１ｃおよび底部１ｂに対向した開口部１ｅを有して構成されている。
【００１４】
そして、吊りボルト等の被取付部に装着できるように設けられた第１の取り付け部１ａである取り付け孔は、約８００ｍｍ間隔で開けられている。したがって、この場合、第２の取り付け部１ａは使用しない。
【００１５】
また、枠体２は、外形ほぼ四角形に形成され、少なくとも長手方向の二辺の外形寸法が約１２６０ｍｍないし約１２７０ｍｍとなるように構成されるとともに、器具本体１の開口部１ｅ周囲を覆うように配設される。なお、短手方向の二辺の外径寸法は、約２４４ｍｍになっている。
【００１６】
したがって、天井に形成された縦寸法約１２３５ｍｍ、横寸法約２２０ｍｍの埋め込み穴に配設して吊りボルトおよびナットにより固定することができる。
【００１７】
以下、本発明の第２の実施の形態を図面を参照して説明する。
【００１８】
図２（ａ）は本発明の第２の実施の形態を示すＴバー用の照明器具の背面図、（ｂ）は同じく側面図および（ｃ）は（ｂ）の横断面図である。本実施の形態は、第１の実施の形態と比較して次の点が異なるものである。
【００１９】
まず、枠体２の短手方向の二辺の外径寸法が約２５０ｍｍになっている。これは、Ｔバー間隔が約２６０ｍｍの場合である。
【００２０】
次に、Ｔバー等に装着される取付金具６であるＴバー固定金具６は、第２の取り付け部１ｃに取り付けられる。そして照明器具はＴバーに固定されるものである。したがって、この場合、第１の取り付け部１ａは使用しない。
【００２１】
以下、本発明の第３の実施の形態を図面を参照して説明する。
【００２２】
図３（ａ）は本発明の第３の実施の形態を示すＴバー間隔６４０ｍｍでモジュール化される天井用の照明器具の背面図、（ｂ）は同じく側面図および（ｃ）は（ｂ）の横断面図である。
【００２３】
本実施の形態は、第２の実施の形態と比較して次の点が異なるものである。
【００２４】
すなわち、Ｔバー固定金具６は、器具本体の短い側部方向に設けられている第２の取り付け部１ｃに取り付けられている。なお、本実施の形態では、Ｔバー間隔は、６４０ｍｍで構成されているが、照明器具が配設される部分のＴバー間隔は、この倍の１２８０ｍｍとなっている。
【００２５】
以下、本発明の第４の実施の形態を図面を参照して説明する。
【００２６】
図４は、本発明の第４の実施の形態を示すシステム天井の斜視図。
【００２７】
本実施の形態は、Ｔバー間隔６４０ｍｍでモジュール化される天井に照明器具を取り付けたものである。この天井のＴバーは、メインバー７とこれに直交するクロスバー８で縦横６４０ｍｍ間隔で配置されている。
【００２８】
【発明の効果】
請求項１記載された発明の照明器具は、埋込形器具およびシステム天井器具に共用できるとともに、システム天井におけるＴバー間隔が６４０ｍｍのものに好適なものを提供できるので、設計および製造コストの低減を図ることができる。
【図面の簡単な説明】
【図１】（ａ）は本発明の第１の実施の形態を示す埋込用の照明器具の背面図、（ｂ）は同じく側面図および（ｃ）は（ｂ）の横断面図。
【図２】（ａ）は本発明の第２の実施の形態を示すＴバー用の照明器具の背面図、（ｂ）は同じく側面図および（ｃ）は（ｂ）の横断面図。
【図３】（ａ）は本発明の第３の実施の形態を示すＴバー間隔６４０ｍｍでモジュール化される天井用の照明器具の背面図、（ｂ）は同じく側面図および（ｃ）は（ｂ）の横断面図。
【図４】本発明の第４の実施の形態を示すシステム天井器具の斜視図。
【符号の説明】
１…器具本体
２…枠体
３…反射板
４…光源
５…点灯装置
【図１】
0003859032.tif 000002
【図２】
0003859032.tif 000003
【図３】
0003859032.tif 000004
【図４】
0003859032.tif 000005